(57)【特許請求の範囲】
【請求項１】
画像表示装置であって、
表示対象とする画像データの画質を調整するための画像調整値である第１調整値と、前記画像表示装置の表示特性を調整するための表示特性調整値である第２調整値とを入力する入力手段と、
前記画像データに基づき、前記第１調整値と前記第２調整値とを用いて、表示用画像データを生成する処理手段と、
前記画像データの画質を、前記表示用画像データの画質にする画像調整値である第３調整値を、前記第１調整値と前記第２調整値に基づいて生成して出力する出力手段と、
を有することを特徴とする画像表示装置。
【請求項２】
前記画像調整値と前記表示特性調整値とでは、値のスケールが互いに異なり、
前記画像表示装置は、前記第２調整値を、前記画像調整値と同じスケールの第４調整値に変換する変換手段を更に有し、
前記出力手段は、前記第１調整値と前記第４調整値を足し合わせることにより、前記第３調整値を生成する
ことを特徴とする請求項１に記載の画像表示装置。
【請求項３】
前記出力手段は、前記第２調整値が基準値から所定範囲内の値でない場合に、前記第２調整値を前記基準値に変更し、前記第１調整値を前記第３調整値に変更する変更手段を更に有する
ことを特徴とする請求項１または２に記載の画像表示装置。
【請求項４】
前記出力手段で出力する画像調整値として、前記第１調整値と前記第３調整値のいずれかをユーザに選択させる選択手段を更に有する
ことを特徴とする請求項１〜３のいずれか１項に記載の画像表示装置。
【請求項５】
前記選択手段は、前記出力手段で出力する画像調整値として、前記第１調整値と前記第３調整値のいずれかをユーザに選択させるための画像を生成する生成手段を更に有する
ことを特徴とする請求項４に記載の画像表示装置。
【請求項６】
前記第１調整値は、ＡＳＣ  ＣＤＬ（ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）により規定される画質パラメータであることを特徴とする請求項１〜５のいずれか１項に記載の画像表示装置。
【請求項７】
前記第３調整値は、ＡＳＣ  ＣＤＬ（ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）により規定される画質パラメータであることを特徴とする請求項１〜６のいずれか１項に記載の画像表示装置。
【請求項８】
前記表示特性調整値は、ブライトネス、ゲイン、γ、クロマのうちの少なくとも１つの調整値であることを特徴とする請求項１〜７のいずれか１項に記載の画像表示装置。
【請求項９】
画像表示装置の制御方法であって、
表示対象とする画像データの画質を調整するための画像調整値である第１調整値と、前記画像表示装置の表示特性を調整するための表示特性調整値である第２調整値とを入力する入力ステップと、
前記画像データに基づき、前記第１調整値と前記第２調整値とを用いて、表示用画像データを生成する処理ステップと、
前記画像データの画質を、前記表示用画像データの画質にする画像調整値である第３調整値を、前記第１調整値と前記第２調整値に基づいて生成して出力する出力ステップと、を有することを特徴とする画像表示装置の制御方法。
【請求項１０】
前記画像調整値と前記表示特性調整値とでは、値のスケールが互いに異なり、
前記第２調整値を、前記画像調整値と同じスケールの第４調整値に変換する変換ステップを更に有し、
前記出力ステップでは、前記第１調整値と前記第４調整値を足し合わせることにより、前記第３調整値が生成される
ことを特徴とする請求項９に記載の画像表示装置の制御方法。
【請求項１１】
前記出力ステップでは、前記第２調整値が基準値から所定範囲内の値でない場合に、前記第２調整値を前記基準値に変更し、前記第１調整値を前記第３調整値に変更する変更ステップを更に有する
ことを特徴とする請求項９または１０に記載の画像表示装置の制御方法。
【請求項１２】
前記出力ステップで出力される画像調整値として、前記第１調整値と前記第３調整値のいずれかをユーザに選択させる選択ステップを更に有する
ことを特徴とする請求項９〜１１のいずれか１項に記載の画像表示装置の制御方法。
【請求項１３】
前記選択ステップでは、前記出力ステップで出力される画像調整値として、前記第１調整値と前記第３調整値のいずれかをユーザに選択させるための画像を生成する生成ステップを更に有する
ことを特徴とする請求項１２に記載の画像表示装置の制御方法。
【請求項１４】
前記第１調整値は、ＡＳＣ  ＣＤＬ（ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）により規定される画質パラメータであることを特徴とする請求項９〜１３のいずれか１項に記載の画像表示装置の制御方法。
【請求項１５】
前記第３調整値は、ＡＳＣ  ＣＤＬ（ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）により規定される画質パラメータであることを特徴とする請求項９〜１４のいずれか１項に記載の画像表示装置の制御方法。
【請求項１６】
前記表示特性調整値は、ブライトネス、ゲイン、γ、クロマのうちの少なくとも１つの調整値であることを特徴とする請求項９〜１５のいずれか１項に記載の画像表示装置の制御方法。
【発明の詳細な説明】
【技術分野】
【０００１】
本発明は、画像表示装置及びその制御方法に関する。
【背景技術】
【０００２】
画像制作のポストプロダクションの各工程では、画像表示装置に画像を表示して、画像の表示色（明るさや色温度等）を調整する作業などが行われる。
ポストプロダクションでは、撮影工程、画像のキャプチャを行う工程、色編集工程などの各工程において、画像の表示色を変更するための画質パラメータを統一する方法がとられている。
【０００３】
画像の表示色の管理方法としては、米国映画撮影監督協会のＡＳＣ  ＣＤＬ（ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ；以下、ＣＤＬと称す）がある。
ＣＤＬに対応した画像表示装置は、該画像表示装置で行われた色調整の結果（調整後の画質パラメータの値）を画像データのメタデータとして出力する。他の画像表示装置で画像を表示する際に上記メタデータを使用することで、複数の画像表示装置間で画像の表示色を一致させることができる。
つまり、撮影工程時に実施した色調整の結果がメタデータとして出力される。そのため、後工程である色編集工程時に、上記メタデータを用いて画像を表示することで、撮影工程時に実施した色調整が反映された画像を表示することができる。
【０００４】
ＣＤＬには、「ＳＬＯＰＥ」、「ＯＦＦＳＥＴ」、「ＰＯＷＥＲ」、「ＳＡＴＵＲＡＴＩＯＮ」などの画質パラメータが規定されており、画質パラメータの値（画像調整値）を変更することで画像の表示色を変更することができる。
「ＳＬＯＰＥ」の値は、画像信号（階調値）に乗算するゲイン値に対応する。
「ＯＦＦＳＥＴ」の値は、画像信号に加減算するオフセット値に対応する。
「ＰＯＷＥＲ」の値は、画像信号に対してγ変換を行う際のγ係数に対応する。
「ＳＡＴＵＲＡＴＩＯＮ」の値は、画像信号中のクロマ信号に乗算するクロマゲイン値に対応する。
【０００５】
また従来、ＣＤＬ以外にも、画質パラメータを管理する方法が提案されている（特許文献１参照）。具体的には、特許文献１には、画像表示装置がユーザに設定された画質調整値を出力し、出力された画質調整値をネットワーク経由で共有する方法が開示されている。
【先行技術文献】
【特許文献】
【０００６】
【特許文献１】特開２００４−０９３７３１号公報
【発明の概要】
【発明が解決しようとする課題】
【０００７】
しかしながら、画像表示装置には、画像表示装置の表示特性を変更する機能が搭載されており、画像表示装置の表示特性を変更すると、画像の表示色も変更される。
そのため、上述したメタデータ（画像調整値）を用いて複数の画像表示装置間で画像の表示色を互いに等しくするためには、上記複数の画像表示装置の表示特性が互いに等しくなくてはならない。例えば、上記複数の画像表示装置の表示特性を、ｓＲＧＢ等の画像規格と同一の表示特性にしなければならない。
【０００８】
つまり、画像表示装置で色調整を行う際に、該画像表示装置の表示特性が所定の特性であれば、上述したメタデータを使用することにより、複数の画像表示装置間で画像の表示色を互いに等しくすることが可能となる。具体的には、他の画像表示装置で画像を表示する際に、該他の画像表示装置の表示特性を所定の特性に設定して上述したメタデータを使用することにより、上記色調整で使用した画像表示装置と同じ表示色で画像を表示することができる。
しかし、画像表示装置で色調整を行う際に、該画像表示装置の表示特性として所定の特性と異なる特性が設定されている場合には、上述したメタデータを使用しても、複数の画像表示装置間で画像の表示色を互いに等しくすることはできない。具体的には、他の画像表示装置で画像を表示する際に、該他の画像表示装置の表示特性を所定の特性に設定して上述したメタデータを使用しても、上記色調整で使用した画像表示装置と同じ表示色で画像を表示することはできない。
【０００９】
そこで、本発明は、画像表示装置で色調整を行った際に、該画像表示装置の表示特性として所定の特性が設定されていない場合にも、画像調整値を転送して複数の画像表示装置間で画像の表示色を一致させることのできる技術を提供することを目的とする。
【課題を解決するための手段】
【００１０】
本発明の画像表示装置は、
表示対象とする画像データの画質を調整するための画像調整値である第１調整値と、前記画像表示装置の表示特性を調整するための表示特性調整値である第２調整値とを入力する入力手段と、
前記画像データに基づき、前記第１調整値と前記第２調整値とを用いて、表示用画像データを生成する処理手段と、
前記画像データの画質を、前記表示用画像データの画質にする画像調整値である第３調整値を、前記第１調整値と前記第２調整値に基づいて生成して出力する出力手段と、
を有することを特徴とする。
【００１１】
本発明の画像表示装置の制御方法は、
表示対象とする画像データの画質を調整するための画像調整値である第１調整値と、前記画像表示装置の表示特性を調整するための表示特性調整値である第２調整値とを入力する入力ステップと、
前記画像データに基づき、前記第１調整値と前記第２調整値とを用いて、表示用画像データを生成する処理ステップと、
前記画像データの画質を、前記表示用画像データの画質にする画像調整値である第３調整値を、前記第１調整値と前記第２調整値に基づいて生成して出力する出力ステップと、を有することを特徴とする。
【発明の効果】
【００１２】
本発明によれば、画像表示装置で色調整を行った際に、該画像表示装置の表示特性として所定の特性が設定されていない場合にも、画像調整値を転送して複数の画像表示装置間で画像の表示色を一致させることができる。
【図面の簡単な説明】
【００１３】
【図１】実施例１に係る画像表示装置の機能構成の一例
【図２】画像調整値と表示特性調整値を入力するためのＯＳＤ画像の表示例
【図３】メタデータを確認する際に表示されるＯＳＤ画像の表示例
【図４】メタデータとして出力する画像調整値を選択するためのＯＳＤ画像の表示例
【図５】実施例３に係る画像表示装置の機能構成の一例
【図６】実施例３に係る画像表示装置の処理の流れの一例
【図７】画像調整値と表示特性調整値を入力するためのＯＳＤ画像の表示例
【図８】画像調整値を入力するためのＯＳＤ画像の表示例
【発明を実施するための形態】
【００１４】
＜実施例１＞
以下に、本発明の実施例１に係る画像表示装置及びその制御方法について図面を用いて説明する。本実施例に係る画像表示装置は、画像調整値と表示特性調整値を用いて表示用画像データを生成する。画像調整値は、画像データに対する調整値であって、画像データに基づく画像の表示色を変更するための調整値である。表示特性調整値は、画像表示装置に対する調整値であって、画像表示装置の表示特性を変更するための調整値である。本実施例に係る画像表示装置は、表示特性調整値が反映された画像調整値を出力する。それにより、画像表示装置の表示特性が所定の特性でない場合（表示特性調整値が基準値（デフォルト値）でない場合）であっても、画像表示装置間で画像の表示色を一致させることができる。
【００１５】
図１は、本実施例に係る画像表示装置の機能構成の一例を示すブロック図である。
図１の画像表示装置１００は、入力部１０１、第１パラメータ値算出部１０２、第２パラメータ値算出部１０３、画像処理部１０４、スケール変換部１０５、メタデータ出力部１０６、表示部１０７などを有する。
【００１６】
入力部１０１は、作業の対象とする画像データ（対象画像データ）に対応する画像調整値である第１調整値と、表示特性調整値である第２調整値とをユーザに入力させる。そして、入力部１０１には、ユーザ操作に応じて、第１，２調整値が入力される。
例えば、図２（ａ），（ｂ）に示すように、各パラメータの画像調整値と、各パラメータの表示特性調整値とを入力するためのＯＳＤ画像が表示される。ユーザは、そのＯＳＤ画像を用いて、各パラメータの値を入力する。
図２（ａ）は、各パラメータの画像調整値を入力するためのＯＳＤ画像の表示例である。図２（ａ）は、画像調整値のパラメータが、ＡＳＣ  ＣＤＬ（ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ；以下、ＣＤＬと称す）で規定されている画質パラメータ（「ＳＬＯＰＥ」、「ＯＦＦＳＥＴ」、「ＰＯＷＥＲ」、「ＳＡＴＵＲＡＴＩＯＮ」）である場合の例である。
図２（ｂ）は、各パラメータの表示特性調整値を入力するためのＯＳＤ画像の表示例である。図２（ｂ）は、表示特性調整値のパラメータが、「ブライトネス」、「ゲイン」、「γ」、「クロマ」である場合の例である。「ブライトネス」は、画像信号（階調値）に加減算するオフセット値に対応する。「ゲイン」の値は、画像信号に乗算するゲイン値に対応する。「γ」の値は、画像信号に対してγ変換を行う際のγ係数に対応する。「クロ
マ」の値は、画像信号中のクロマ信号に乗算するクロマゲイン値に対応する。
なお、画像調整値のパラメータと、表示特性値のパラメータは、図２（ａ），（ｂ）に示すパラメータに限らない。画像調整値のパラメータは、画像の表示色を変更するためのパラメータであればどのようなパラメータであってもよい。表示特性調整値のパラメータは、画像表示装置の表示特性を変更するためのパラメータであればどのようなパラメータであってもよい。
本実施例では、「ＯＦＦＳＥＴ」と「ブライトネス」の値が基準値から変更される場合、すなわち第１調整値として「ＯＦＦＳＥＴ」の値が入力され、第２調整値として、「ブライトネス」の値が入力される場合の例について説明する。
【００１７】
第１パラメータ値算出部１０２は、第１調整値（Ｕ＿ＯＦＦＳＥＴ）から、画像処理部１０４に設定する第１パラメータ値（Ｐ＿ＯＦＦＳＥＴ）を算出する。なお、本実施例では、「ＯＦＦＳＥＴ」の値の下限値が−１、上限値が＋１であるものとする。そのため、ユーザは、第１調整値（Ｕ＿ＯＦＦＳＥＴ）として、−１〜＋１の値を設定することができる。また、第１パラメータ値（及び、後述する第２パラメータ値）の下限値が−５１１、上限値が＋５１１であるものとする。
第１パラメータ値（Ｐ＿ＯＦＦＳＥＴ）は、ＣＤＬで規定されている関数（以下の式１）を用いて算出される。
Ｐ＿ＯＦＦＳＥＴ＝Ｕ＿ＯＦＦＳＥＴ×５１１    ・・・（式１）
式１から、第１調整値（Ｕ＿ＯＦＦＳＥＴ）が０の場合は、第１パラメータ値（Ｐ＿ＯＦＦＳＥＴ）は０となる。第１調整値（Ｕ＿ＯＦＦＳＥＴ）が＋１の場合は、第１パラメータ値（Ｐ＿ＯＦＦＳＥＴ）は＋５１１となる。第１調整値（Ｕ＿ＯＦＦＳＥＴ）が−１の場合は、第１パラメータ値（Ｐ＿ＯＦＦＳＥＴ）は−５１１となる。
また、第１調整値（Ｕ＿ＯＦＦＳＥＴ）が＋０．２の場合は、第１パラメータ値（Ｐ＿ＯＦＦＳＥＴ）は＋１０２（＝０．２×５１１）となる。
第１パラメータ値を、対象画像データの階調値に加算することにより、対象画像データに対して、画像調整値に基づく画像処理が施される。
【００１８】
第２パラメータ値算出部１０３は、第２調整値（Ｕ＿ＢＲＩＧＨＴ）から、画像処理部１０４に設定する第２パラメータ値（Ｐ＿ＢＲＩＧＨＴ）を算出する。なお、本実施例では、「ＯＦＦＳＥＴ」の値と「ブライトネス」の値とでは、値のスケールが互いに異なり、「ブライトネス」の値の下限値は−５００、上限値は＋５００であるものとする。そのため、ユーザは、第２調整値（Ｕ＿ＢＲＩＧＨＴ）として、−５００〜＋５００の値を設定することができる。また、上述したように、第２パラメータ値の下限値が−５１１、上限値が＋５１１であるものとする。
第２パラメータ値（Ｐ＿ＢＲＩＧＨＴ）は、以下の式２を用いて算出される。
Ｐ＿ＢＲＩＧＨＴ＝（Ｕ＿ＢＲＩＧＨＴ÷５００）×５１１    ・・・（式２）
式２から、第２調整値（Ｕ＿ＢＲＩＧＨＴ）が０の場合は、第２パラメータ値（Ｐ＿ＢＲＩＧＨＴ）は０となる。第２調整値（Ｕ＿ＢＲＩＧＨＴ）が＋５００の場合は、第２パラメータ値（Ｐ＿ＢＲＩＧＨＴ）は＋５１１となる。第２調整値（Ｕ＿ＢＲＩＧＨＴ）が−５００の場合は、第２パラメータ値（Ｐ＿ＢＲＩＧＨＴ）は−５１１となる。
また、第２調整値（Ｕ＿ＢＲＩＧＨＴ）が＋２００の場合は、第２パラメータ値（Ｐ＿ＢＲＩＧＨＴ）は＋２０４（＝（２００÷５００）×５１１）となる。
第２パラメータ値を、対象画像データの階調値に加算することにより、対象画像データに対して、表示特性調整値に基づく画像処理が施される。
なお、本実施例では、式１，２に示すように、調整値の変化に対してパラメータ値が線
形に変化する場合の例を挙げたが、調整値の変化に対してパラメータ値が非線形に変化してもよい。調整値の変化に対してパラメータ値は連続的に変化してもよいし、段階的に変化してもよい。
【００１９】
画像処理部１０４は、第１調整値と第２調整値に基づいて、表示用画像データを生成する。具体的には、画像処理部１０４は、対象画像データの階調値に第１パラメータ値と第２パラメータ値を加算することにより、表示用画像データを生成する。表示用画像データは表示部１０７に出力される。
表示部１０７は、表示用画像データに基づく画像を表示する。表示部１０７は、例えば、液晶ディスプレイパネル、プラズマディスプレイパネル、有機ＥＬディスプレイパネルなどの表示パネルである。
【００２０】
スケール変換部１０５は、第２調整値を、画像調整値と同じスケールの第４調整値に変換する。具体的には、スケール変換部１０５は、以下の式３を用いて、第２パラメータ値（Ｐ＿ＢＲＩＧＨＴ）から第４調整値（Ｕ＿ＯＦＦＳＥＴ＿３）を算出する。
Ｕ＿ＯＦＦＳＥＴ＿３＝Ｐ＿ＢＲＩＧＨＴ÷５１１    ・・・（式３）
式３から、第２パラメータ値（Ｐ＿ＢＲＩＧＨＴ）が２０４の場合は、第４調整値（Ｕ＿ＯＦＦＳＥＴ＿３）は＋０．４（＝２０４÷５１１）となる。
なお、本実施例では、第２パラメータ値（Ｐ＿ＢＲＩＧＨＴ）から第４調整値（Ｕ＿ＯＦＦＳＥＴ＿３）を算出する構成としたが、この構成に限らない。例えば、第２調整値（Ｕ＿ＢＲＩＧＨＴ）を５００で除算することにより、第４調整値（Ｕ＿ＯＦＦＳＥＴ＿３）を算出することができる。
【００２１】
メタデータ出力部１０６は、対象画像データに基づく表示色を、第１調整値と第２調整値を用いて対象画像データから生成された表示用画像データに基づく画像の表示色にする画像調整値である第３調整値を、第１調整値と第２調整値に基づいて生成する。そして、第３調整値を、対象画像データに対応する画像調整値（対象画像データのメタデータ）として出力する。なお、第３調整値の生成と、第３調整値の出力は、互いに異なる機能部により行われてもよい。
本実施例では、以下の式４に示すように、第１調整値（Ｕ＿ＯＦＦＳＥＴ）と第４調整値（Ｕ＿ＯＦＦＳＥＴ＿３）を足し合わせることにより、第３調整値（メタデータ（Ｍ＿ＣＤＬ））が生成（算出）される。
Ｍ＿ＣＤＬ＝Ｕ＿ＯＦＦＳＥＴ＋Ｕ＿ＯＦＦＳＥＴ＿３    ・・・（式４）
式４から、第１調整値（Ｕ＿ＯＦＦＳＥＴ）が＋０．２、第４調整値（Ｕ＿ＯＦＦＳＥＴ＿３）が＋０．４の場合には、メタデータ（Ｍ＿ＣＤＬ）は＋０．６（＝０．２＋０．４）となる。
【００２２】
第１調整値（Ｕ＿ＯＦＦＳＥＴ）と第４調整値（Ｕ＿ＯＦＦＳＥＴ＿３）を足し合わせた値は、第１調整値（Ｕ＿ＯＦＦＳＥＴ）と第２調整値（Ｕ＿ＢＲＩＧＨＴ）が反映された画像調整値となる。そのため、他の画像表示装置で、「ＯＦＦＳＥＴ」に対象画像データのメタデータ（Ｍ＿ＣＤＬ）の値を設定することにより、画像表示装置１００での色調整の結果を元に、色調整などの作業を行うことができる。また、他の画像表示装置で、「ＯＦＦＳＥＴ」に対象画像データのメタデータ（Ｍ＿ＣＤＬ）の値を設定し、他のパラメータに基準値を設定することにより、画像表示装置１００と同じ表示色で対象画像データに基づく画像を表示することができる。
【００２３】
つまり、本実施例では、図３（ａ）に示すように、前工程（例えば撮影工程）における色調整の結果として、「ＯＦＦＳＥＴ」に第１調整値と第２調整値が反映された値（０．６）が設定された画像調整値が、対象画像データのメタデータとして出力される。図３（ａ）は、出力するメタデータを確認する際に画像表示装置１００で表示されるＯＳＤ画像の表示例である。なお、メタデータとして、基準値以外の画像調整値（図３の例では「ＯＦＦＳＥＴ」の値のみ）が出力されてもよいし、画像調整値の全てのパラメータの値が出力されてもよい。
そして、図３（ｂ）に示すように、後工程（例えば色編集工程）においては、上記メタデータの値を画像調整値として設定することで、前工程時の色調整の結果を元に色調整などの作業を行うことができる。また、後工程時に、上記メタデータ以外のパラメータに基準値を設定することにより、前工程時と同じ表示色で対象画像データを表示することができる。その結果、前工程時の色編集の意図を、前工程から後工程へ伝達することができる。図３（ｂ）は、他の画像表示装置において、入力されたメタデータの内容を確認する場合や、入力されたメタデータを元に画像調整値を変更する場合などに表示されるＯＳＤ画像の表示例である。
【００２４】
以上述べたように、本実施例によれば、対象画像データに基づく画像の表示色を、第１，２調整値を用いて対象画像データから生成された表示用画像データに基づく画像の表示色にする画像調整値である第３調整値が生成される。そして、第３調整値が、対象画像データに対応する画像調整値（メタデータ）として出力される。それにより、画像表示装置で色調整を行った際に、該画像表示装置の表示特性として所定の特性が設定されていない場合（表示特性調整値が基準値でない場合）にも、画像調整値を転送して複数の画像表示装置間で画像の表示色を一致させることが可能となる。具体的には、画像表示装置で対象画像データに基づく画像を表示する際に、画像調整値として上記メタデータの値を設定し、表示特性調整値として基準値を設定すればよい。それにより、上記メタデータを出力した画像表示装置と同じ表示色で対象画像データに基づく画像を表示することができる。
【００２５】
なお、本実施例では、「ＯＦＦＳＥＴ」と「ブライトネス」の値が基準値から変更される場合の例を示したが、値が変更されるパラメータはこれに限らない。例えば、「ＳＬＯＰＥ」と「ゲイン」の値が基準値から変更されてもよい。
なお、本実施例では、第１調整値と第４調整値を足し合わせることにより第３調整値を算出する構成を示したが、第３調整値の算出方法はこれに限らない。例えば、第１，２調整値が画素値（階調値）に乗算する値に対応する場合には、第２調整値から第４調整値を算出し、第１調整値と第４調整値を掛け合わせることにより第３調整値を算出してもよい。第３調整値の算出方法は、画像処理における第１，２調整値の使用方法などに応じて適宜変更されてもよい。第３調整値として、対象画像データに基づく画像の表示色を、第１，２調整値を用いて対象画像データから生成された表示用画像データに基づく画像の表示色にするような画像調整値を算出することができれば、第３調整値はどのように算出されてもよい。
なお、本実施例では、第１調整値と第２調整値が１つの入力部に入力される構成について説明したが、第１調整値と第２調整値は互いに異なる入力部に入力されてもよい。
【００２６】
＜実施例２＞
以下に、本発明の実施例２に係る画像表示装置及びその制御方法について図面を用いて説明する。実施例１では、第３調整値を対象画像データに対応する画像調整値として出力する構成について説明した。しかし、ユーザや作業工程によっては、第１調整値が対象画像データに対応する画像調整値として出力されたほうがよい場合もある。そこで、本実施例では、メタデータ出力部１０６が、出力する画像調整値（メタデータ）として、第１調整値と第３調整値のいずれかをユーザに選択させる。なお、当該機能は、メタデータ出力部１０６以外の機能部により実現されてもよい。
【００２７】
図４（ａ），（ｂ）は、メタデータ出力部１０６が、メタデータを出力する際に表示するＯＳＤ画像（出力する画像調整値を選択するためのＯＳＤ画像）の表示例である。ユーザは、図４（ａ），（ｂ）に示すＯＳＤ画像を用いて、第１調整値と第３調整値のどちらをメタデータとして出力するかを選択することができる。
図４（ａ）は、第１調整値（表示特性調整値が反映されていない画像調整値）をメタデータとして出力することが選択された状態を示す。第１調整値をメタデータとして出力することが選択されると、メタデータ出力部１０６は、第１調整値をメタデータとして出力する。
図４（ｂ）は、第３調整値（表示特性調整値が反映されさ画像調整値）をメタデータとして出力することが選択された状態を示す。第３調整値をメタデータとして出力することが選択されると、メタデータ出力部１０６は、第３調整値をメタデータとして出力する。
【００２８】
以上述べたように、本実施例によれば、ユーザは第１調整値と第３調整値のどちらをメタデータとして出力するかを選択することができる。それにより、所望の画像調整値をメタデータとして利用することが可能となる。
【００２９】
＜実施例３＞
以下に、本発明の実施例３に係る画像表示装置及びその制御方法について図面を用いて説明する。実施例１では、第１調整値から算出された第１パラメータ値と、第２調整値から算出された第２パラメータ値を用いて、表示用画像データが生成される構成について説明した。しかし、第２調整値を所定の基準値に変更し、第１調整値を第３調整値に変更しても、変更前と同じ表示色で画像を表示することができる。そこで、本実施例では、第２調整値が所定の基準値でない場合に、第２調整値を基準値に変更し、第１調整値を第３調整値に変更する。上記所定の基準値（表示特性調整値の基準値）は、例えば、画像の表示色が変更されない値である。
【００３０】
図５は、本実施例に係る画像表示装置の機能構成の一例を示すブロック図である。
図５の画像表示装置３００は、実施例１の構成（図１）に加え、第１調整値変更部３０８、第２調整値変更部３０９を更に有する。以下、画像表示装置３００の各機能部について説明する。なお、実施例１と同じ機能部には同じ符号を付し、その説明は省略する。
【００３１】
スケール変換部３０５は、第２調整値が基準値でない場合に、実施例１のスケール変換部１０５と同様の方法で、第４調整値を生成する。
【００３２】
第１調整値変更部３０８は、入力部１０１から第１調整値を取得する。そして、第１調整値変更部３０８は、第２調整値が基準値である場合に第１調整値を出力し、第２調整値が基準値でない場合に第３調整値を生成し、出力する。即ち、第２調整値が所定の基準値でない場合には、第１調整値が第３調整値に変更される。そのため、第２調整値が基準値である場合には、第１パラメータ値算出部１０２に第１調整値が入力され、第１調整値から第１パラメータ値が算出されることとなる。第２調整値が基準値でない場合には、第１パラメータ値算出部１０２に第３調整値が入力され、第３調整値から第１パラメータ値が算出されることとなる。
なお、第３調整値は、第１調整値とスケール変換部３０５で生成された第４調整値とを用いて、実施例１のメタデータ出力部１０６と同様の方法で生成される。
【００３３】
第２調整値変更部３０９は、入力部１０１から第２調整値を取得する。そして、第２調整値変更部３０９は、第２調整値が基準値である場合に第２調整値を出力し、第２調整値が基準値でない場合に基準値を出力する。即ち、第２調整値が所定の基準値でない場合には、第２調整値が基準値に変更される。そのため、第２調整値が基準値である場合には、
第２パラメータ値算出部１０３に第２調整値が入力され、第２調整値から第２パラメータ値が算出されることとなる。第２調整値が基準値でない場合には、第２パラメータ値算出部１０３に基準値が入力され、基準値から第２パラメータ値が算出されることとなる。
【００３４】
メタデータ出力部３０６は、第１調整値変更部３０８から出力された画像調整値（第１調整値または第３調整値）を、対象画像データに対応する画像調整値として外部に出力する。
【００３５】
なお、第２調整値が基準値か否かは、どのように判定されてもよい。例えば、第２調整値が基準値か否かは、入力部１０１に入力された第２調整値を用いて判定されてもよいし、第２パラメータ値算出部１０３で第２調整値から生成された第２パラメータ値を用いて判定されてもよい。第２調整値が基準値か否かを判定する処理は、第１調整値変更部３０８と第２調整値変更部３０９とスケール変換部３０５の全ての機能部で行われてもよいし、いずれか１つの機能部で行われてもよい。第２調整値が基準値か否かを判定する処理は、第１調整値変更部３０８と第２調整値変更部３０９とスケール変換部３０５以外の機能部で行われてもよい。
本実施例では、スケール変換部３０５が、第２パラメータ値（第２調整値から生成された第２パラメータ値）を用いて第２調整値が基準値か否かを判定する。そして、スケール変換部３０５は、第２調整値が基準値でない場合に、第４調整値を生成し、第１調整値変更部３０８と第２調整値変更部３０９に出力する。第１調整値変更部３０８と第２調整値変更部３０９は、第４調整値が入力された場合に、第２調整値が基準値でないと判断する。
【００３６】
図６は、画像表示装置３００の処理（画像調整値を変更する処理）の流れの一例を示すフローチャートである。以下では、図７（ａ），（ｂ）に示すように、第１調整値（Ｕ＿ＯＦＦＳＥＴ）として０．０が入力され、第２調整値（Ｕ＿ＢＲＩＧＨＴ）として２００が入力されて色調整が行われた後に、画像調整値を変更する場合の例について説明する。図７（ａ）は、画像調整値を入力するためのＯＳＤ画像の表示例である。図７（ｂ）は、表示特性調整値を入力するためのＯＳＤ画像の表示例である。
【００３７】
まず、ユーザ操作により画像調整値の変更処理の開始が指示されると、スケール変換部３０５が、現在設定されている第２調整値（Ｕ＿ＢＲＩＧＨＴ）が基準値か否かを判定する（ステップＳ３０１）。具体的には、スケール変換部３０５は、第２調整値（Ｕ＿ＢＲＩＧＨＴ）から算出された第２パラメータ値（Ｐ＿ＢＲＩＧＨＴ）から、第２調整値（Ｕ＿ＢＲＩＧＨＴ）が基準値か否かを判定する。なお、本実施例では、「ブライトネス」の基準値は０であるものとする。そのため、スケール変換部３０５は、第２パラメータ値が０の場合に、第２調整値が基準値であると判定し、第２パラメータ値が０でない場合に、第２調整値が基準値でないと判定する。ここで、第２調整値（Ｕ＿ＢＲＩＧＨＴ）は２００であるため、式２から、第２パラメータ値（Ｐ＿ＢＲＩＧＨＴ）は、＋２０４（＝（２００÷５００）×５１１）となる。そして、第２調整値が基準値でないと判定される。
【００３８】
第２調整値が基準値であると判定された場合には、後述するステップＳ３０８へ処理が進められる。
第２調整値が基準値でないと判定された場合には、スケール変換部３０５が、第２パラメータ値（Ｐ＿ＢＲＩＧＨＴ）から第４調整値（Ｕ＿ＯＦＦＳＥＴ＿３）を生成する（ステップＳ３０２）。ここで、第２パラメータ値（Ｐ＿ＢＲＩＧＨＴ）は＋２０４であるため、式３から、第４調整値（Ｕ＿ＯＦＦＳＥＴ＿３）は＋０．４となる。
【００３９】
次に、第１調整値変更部３０８が、第４調整値（Ｕ＿ＯＦＦＳＥＴ＿３）と、現在設定されている第１調整値（Ｕ＿ＯＦＦＳＥＴ）とを足し合わせて、第３調整値（Ｕ＿ＯＦＦ
ＳＥＴ＿４）を生成する。そして、第１調整値変更部３０８が、「ＯＦＦＳＥＴ」の設定値を第１調整値（Ｕ＿ＯＦＦＳＥＴ）から第３調整値（Ｕ＿ＯＦＦＳＥＴ＿４）に変更する（ステップＳ３０３）。ここで、第１調整値（Ｕ＿ＯＦＦＳＥＴ）は０．０、第４調整値（Ｕ＿ＯＦＦＳＥＴ＿３）は＋０．４であるため、第３調整値（Ｕ＿ＯＦＦＳＥＴ＿４）は＋０．４（＝０．０＋０．４）となる。
【００４０】
次に、第２調整値変更部３０９が、「ブライトネス」の設定値を第２調整値（Ｕ＿ＢＲＩＧＨＴ）から基準値（Ｕ＿ＢＲＩＧＨＴ＿５＝０）に変更する（ステップＳ３０４）。そして、ステップＳ３０５へ処理が進められる。
なお、ステップＳ３０４の処理は、ステップＳ３０３の処理の前に行われてもよい。
【００４１】
ステップＳ３０５では、第１パラメータ値算出部１０２が、第３調整値（Ｕ＿ＯＦＦＳＥＴ＿４）から第１パラメータ値（Ｐ＿ＯＦＦＳＥＴ）を算出する（ステップＳ３０５）。ここでは、第３調整値（Ｕ＿ＯＦＦＳＥＴ＿４）は＋０．４であるため、式１から、第１パラメータ値（Ｐ＿ＯＦＦＳＥＴ）は＋２０４（＝０．４×５１１）となる。
【００４２】
次に、第２パラメータ値算出部１０３が、基準値（Ｕ＿ＢＲＩＧＨＴ＿５）から第２パラメータ値（Ｐ＿ＢＲＩＧＨＴ）を算出する（ステップＳ３０６）。ここでは、基準値（Ｕ＿ＢＲＩＧＨＴ＿５）は０であるため、式２から、第２パラメータ値（Ｐ＿ＢＲＩＧＨＴ）は０（＝（０÷５００）×５１１）となる。
【００４３】
そして、画像処理部１０４が、実施例１と同様に、第１，２パラメータ値に基づいて画像処理を行い、表示用画像データを生成する（ステップＳ３０７）。表示用画像データは表示部１０７に出力され、表示部１０７は表示用画像データに基づく画像を表示する。
【００４４】
次に、入力部１０１が、表示部１０７の画面に、画像調整値を変更するためのＯＳＤ画像を表示する（ステップＳ３０８）。「ＯＦＦＳＥＴ」の現在の設定値は第３調整値（Ｕ＿ＯＦＦＳＥＴ＿４＝＋０．４）であるため、画像調整値を変更（入力）するためのＯＳＤ画像として、図８（ａ）に示すように、「ＯＦＦＳＥＴ」の値が＋０．４とされた画像が表示される。また、確認用として、現在の表示特性調整値を示すＯＳＤ画像（図８（ｂ））が表示されてもよい。「ブライトネス」の現在の設定値は基準値（Ｕ＿ＢＲＩＧＨＴ＿５＝０）であるため、図８（ｂ）では、「ブライトネス」の値が０とされている。
【００４５】
そして、ユーザ操作に応じて、画像調整値が変更される（ステップＳ３０９）。なお、本ステップでは、ユーザは、必ずしも画像調整値を変更する必要はない。
【００４６】
次に、メタデータ出力部３０６は、ユーザからメタデータの出力が指示されたか否かを判断する（ステップＳ３１０）。
メタデータの出力が指示されていない場合には、本フローは終了される。
メタデータの出力が指示された場合には、メタデータ出力部３０６が、現在設定されている画像調整値を、対象画像データに対応する画像調整値（メタデータ）として出力する（ステップＳ３１１）。具体的には、ステップＳ３０１で第２調整値が基準値であると判定され、且つ、ステップＳ３０９で画像調整値が変更されなかった場合には、第１調整値がメタデータとして出力される。ステップＳ３０１で第２調整値が基準値でないと判定され、且つ、ステップＳ３０９で画像調整値が変更されなかった場合には、ステップＳ３０３で生成された第３調整値（Ｕ＿ＯＦＦＳＥＴ＿４）がメタデータとして出力される。ステップＳ３０９で画像調整値が変更された場合には、変更後の画像調整値がメタデータとして出力される。
これにより、画像調整値を変更してメタデータを出力する際に、画像調整値と表示特性調整値の設定値が反映された値を対象画像データのメタデータとして出力することができ
る。
【００４７】
以上述べたように、本実施例の構成においても、実施例１と同様の効果を得ることができる。
なお、本実施例では、ユーザ操作により画像調整値の変更開始が指示されたときに、第１調整値から第３調整値への変更、及び、第２調整値から基準値への変更を行う場合の例を示した。即ち、本実施例では、ユーザ操作により画像調整値の変更開始が指示されるまでは、前回入力された第１，２調整値から第１，２パラメータ値が算出されて画像処理が行われるものとした。しかし、この構成に限らない。例えば、第１調整値または第２調整値のいずれか一方が入力されたときに、第１，２調整値の変更が行われてもよい。
なお、本実施例では、表示特性調整値が基準値でない場合に第１，２調整値を変更する構成としたが、この構成に限らない。例えば、表示特性調整値が基準値から所定範囲内の値でない場合に、第１，２調整値を変更し、表示特性調整値が基準値から所定範囲内の値である場合には、第１，２調整値を変更しない構成であってもよい。
【符号の説明】
【００４８】
１００  画像表示装置
１０１  入力部
１０６  メタデータ出力部
【図１】
0006021356.tif 000002
【図２】
0006021356.tif 000003
【図３】
0006021356.tif 000004
【図４】
0006021356.tif 000005
【図５】
0006021356.tif 000006
【図６】
0006021356.tif 000007
【図７】
0006021356.tif 000008
【図８】
0006021356.tif 000009